(57)【要約】      （修正有）【課題】地震によって鋼板製物置小屋の錠を自動的に確実に解錠する装置を提供する。【解決手段】可動板６が切り欠き部を塞ぐ位置に合わせて装置のベース板７を戸当たり面８の内側に取り付ける。ベース板の吊り下げ部１０に吊り下げられた振り子式錘９が地震により揺れると、吊り下げ軸１１に連結されている円盤１２が引き外し板１３を下に押し下げる。引き外し板１３は軸１４を支点にして先端が左に移動し、ロックバーＡ１５を押す。ロックバーは支点Ａ１６を中心に右回転し、爪部が右に開くため可動板６から外れる。同時に連結桿１８に接続されたロックバーＢ１９も支点Ｂ２０を中心に左回転し、左に開くため可動板６はスプリングＡ２１によって上に移動する。従って、鍵フック１は引っ掛かる部分がなくなり解錠される。【選択図】図２
0003145311.tif 000002
【実用新案登録請求の範囲】
【請求項１】
地震発生で吊り下げ錘が揺れて、その運動でスプリングによって引っ張られていた可動板のロックを外し、鋼板製物置小屋の引き戸の錠前を解錠する装置
【考案の詳細な説明】
【技術分野】
【０００１】  本考案は、鋼板製物置小屋の引き戸の鍵を地震発生と同時にスプリングの力で解錠する装置である。本装置は、吊り下げられた円柱形の錘が地震によって揺れることにより錘に直結した軸の動きを利用して可動板のロックを外す。ロックが外れた可動板はスプリングの収縮力によって引っ張られ移動することで鍵フックが外れた状態になり解錠するものである。
【背景技術】
【０００２】  地震による災害発生時の救助用機材保管庫の鍵を解錠するには、合い鍵が必要である。地震災害の混乱する中で合い鍵を持参したり、求めたりすることは、困難な状況が予想される。
従って、合い鍵なしでも地震の揺れで自動的に解錠する装置があれば、一刻を争う人命救助に役立つものである。
本案は、町内会や自治会で現在もっとも多く使われている通称、鋼板製物置小屋に適用可能な方法として考案したものであり、既存の物置小屋にも取り付けが可能なように考慮した装置である。
【考案の開示】
【考案が解決しようとする課題】
【０００３】  本案は、地震発生と同時に一般に使用されている引き戸式物置小屋の解錠を次のような条件下で解決しようとした。
▲１▼既存の引き戸側の錠前を取り替えることなく解錠すること。
▲２▼電力を用いずに機械的に解錠すること。
▲３▼簡単で安価であること。
▲４▼手を挟まれたりするような危険性のないこと。
▲５▼物置小屋の新設、既設に関係なく取り付けが可能であること。
▲６▼地震の揺れで確実に作動すること。
▲７▼リセットは片手で行える程度の方法とすること。
以上の条件で本考案を解決する課題として次の手段が講ぜられた。
【課題を解決するための手段】
【０００４】  地震の揺れで自動的に解錠ができる簡単な方法を、錠前とは反対側の戸当り柱の中空を利用して取り付けるものである。
通常の施錠方法は、引き戸側に取り付けられた錠前に合い鍵を差し込み回転させることにより鍵フックが戸当り柱の開口部に入り込み、フックが鉄板に引っ掛かることで施錠される。従って、その引っ掛かり部分を切り取り、その部分にスライド可能な鉄板即ち可動板を充てる。
可動板がフックに引っ掛かる位置にあるときは施錠、フックから外れた位置にあるときは解錠になるようにと考えた。
【考案の効果】
【０００５】  鋼板製物置小屋は多種多様な用途があり、中でも町内会等で防災機器を格納した物置小屋が公園などで見受けられる。
それらの物置小屋は、通常は鍵が掛けられており合い鍵なしで扉を開けることは不可能である。従って、急を要する地震災害時に合い鍵がないと扉が開かず救助活動が間に合わない場合が想定される。
そのような事態にならないように本案の解錠装置を町内会や自治会等の防災機器格納物置小屋に取り付け、震災に備えれば災害の減少に期待できるものと思われる。
【考案を実施するための最良の形態】
【０００６】  以下、本考案の実施形態を説明する。
本考案の解錠装置は電気を一切使用せずスプリングを利用して機械的に解錠するシンプルな装置である。
また、本案の解錠装置は民家が倒壊するような地震に対して確実に作動し、解錠するものでなければならない。
【実施例】
【０００７】  以下本考案の実施例の詳細を図面に基づいて説明する。
図１は鋼板製物置小屋の施錠は、引き戸（４）に取り付けた錠前を施錠した場合に鍵フック（１）が戸当たり柱（２）の切り欠き部分（３）に引っ掛かるため、引き戸（４）が開かない構造となっている。
その鍵フックが引っ掛かる切り欠き部（３）を鍵フック穴（５）に続けて切り広げる。
図２は本考案の解錠装置を戸当たり柱（２）の内部に取り付けた全体図である。可動板（６）が図１の切り欠き部（３）を塞ぐ位置に合わせて装置のベース板（７）を戸当たり面（８）の内側に取り付ける。
ベース板の吊り下げ部（１０）に吊り下げられた振り子式錘（９）が地震により揺れると、吊り下げ軸（１１）に連結されている円盤（１２）が引き外し板（１３）を下に押し下げる。引き外し板（１３）は軸（１４）を支点にして先端が左に移動し、ロックバーＡ（１５）を押す。ロックバーは支点Ａ（１６）を中心に右回転し、爪部（１７）が右に開くため可動板（６）から外れる。同時に連結桿（１８）に接続されたロックバーＢ（１９）も支点Ｂ（２０）を中心に左回転し、左に開くため可動板（６）はスプリングＡ（２１）によって上に移動する。
従って、鍵フック（１）は引っ掛かる部分がなくなり解錠される。
図３は本考案のベースとなるベース板（７）の図である。このベース板には、開口部（２２）が開いておりその両端にレール（２３）が設けてある。レールの内側に図４のＬ字型可動板（６）をレールに挟まるように嵌め込む。
図５と図６は可動板（６）が施錠可能な位置にロックされた状態の平面図と断面図である。
ロックバーＡ（１５）とロックバーＢ（１９）はスプリングＢ（２４）によって互いに引っ張られており可動板（６）を爪部（１７）で挟み込むようにしてロックしている。
図７は振り子式錘（９）が地震によって揺れてロックバーＡ（１５）とロックバーＢ（１９）が開き、可動板（６）が解錠位置に移動した図である。
図８は戸当たり面（８）とレール部（２３）および可動板（６）との関係を表した図である。レール部と戸当たり面鉄板の隙間に可動板が移動できるように挟まれており、図３で示したベース板の取り付け穴（２６）をビスによって戸当たり面（８）に固定する。
【図面の簡単な説明】
【０００８】
【図１】本考案の解錠装置を取り付ける前の概要を説明するための図である。
【図２】本考案の解錠装置の全体を現す斜視図である。
【図３】本考案の基になるベースの斜視図である。
【図４】本考案の施解錠を司る可動板の斜視図である。
【図５】本考案の可動板が施錠可能な位置にロックされた状態の平面図。
【図６】図５平面図のＡ−Ａ′矢印方向から見た縦方向の断面図。
【図７】地震により振り子式錘が揺れてロックバーＡとＢが左右に開き可動板がスプリングによって引き上げられ解錠状態を表す平面図。
【図８】図７平面図のＢ−Ｂ′矢印方向から見た断面図。
【図９】本考案のベース板の平面図。
【図１０】本考案のベース板の側面図。
【符号の説明】
【０００９】１鍵フック
２戸当たり柱
３切り欠き部
４引き戸
５鍵フック穴
６可動板
７ベース板
８戸当たり面
９振り子式錘
１０錘吊り下げ部
１１吊り下げ軸
１２円盤
１３引き外し板
１４軸
１５ロックバーＡ
１６支点Ａ
１７爪部
１８連結桿
１９ロックバーＢ
２０支点Ｂ
２１スプリングＡ
２２開口部
２３レール部
２４スプリングＢ
２５吊り下げ軸穴
２６取り付け穴
【図１】
0003145311.tif 000003
【図２】
0003145311.tif 000004
【図３】
0003145311.tif 000005
【図４】
0003145311.tif 000006
【図５】
0003145311.tif 000007
【図６】
0003145311.tif 000008
【図７】
0003145311.tif 000009
【図８】
0003145311.tif 000010
【図９】
0003145311.tif 000011
【図１０】
0003145311.tif 000012
【手続補正書】
【提出日】平成20年3月19日(2008.3.19)
【手続補正１】
【補正対象書類名】実用新案登録請求の範囲
【補正対象項目名】全文
【補正方法】変更
【補正の内容】
【実用新案登録請求の範囲】
【請求項１】
地震の振動で振り子式錘（９）が揺れ、その運動でスプリングＡ（２１）によって引っ張られていた可動板（６）のロックを外し、鋼板製物置小屋の引き戸の錠前を反扉側の戸当たり柱の鍵フック（１）を開放して解錠する装置。
【請求項２】
地震の振動で吊り下げ軸（１１）下端に取り付けた振り子式錘（９）が揺れ、その吊り下げ軸上端に固定された円盤（１２）が傾くと、振り子式錘の重量がＬ字形引き外し板（１３）にかかるため同引き外し板が押し下げられ、軸（１４）を中心に引き外し板（１３）の上部が左に回転するためロックバーＡ（１５）を横方向に押すことで請求項１の解錠を行う装置である。
【請求項３】
ロックバーＡ（１５）とロックバーＢ（１９）が左右対称に２本あり、上部でスプリングＢ（２４）によってそれぞれを引っ張り合わせるため、爪部（１７）で可動板を抱きかかえてスプリングＡ（２１）の収縮による可動板（６）の移動を停止するため、鍵フック（１）が引っ掛かり施錠が可能となる。
【請求項４】
請求項２のロックバーＡ（１５）が引き外し板（１３）によって横に押されると連結桿（１８）によってロックバーＢ（１９）も同時に支点Ｂ（２０）を中心に広がり可動板（６）を爪部（１７）から開放するため請求項１の解錠装置が成立する。
【手続補正書】
【提出日】平成20年7月3日(2008.7.3)
【手続補正１】
【補正対象書類名】実用新案登録請求の範囲
【補正対象項目名】全文
【補正方法】変更
【補正の内容】
【実用新案登録請求の範囲】
【請求項１】
鍵フックが戸当たり部分に引っかかることにより施錠する構造の鍵において、戸当たり部の鍵フックが引っかかる部分に取り付けたロックバーにより係止されている可動板を、地震の振動で振り子式錘が揺れることにより開放し、係止されている可動板をスプリングバネの力で移動させ、鍵フックの引っかかり部分を開放することにより解錠することを特徴とする解錠装置。